【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
列方向及び行方向に配された複数の光電変換手段を含む画素配列と、
第１の駆動信号と、該第１の駆動信号と非同期であって、且つ、該第１の駆動信号よりも短い周期を有する第２の駆動信号とを生成する生成手段と、
前記第１の駆動信号により駆動され、前記画素配列の少なくとも一部から、画像表示用及び画像記録用の少なくとも一方のために用いられる第１の信号を出力する第１の出力手段と、
前記第２の駆動信号により駆動され、前記画素配列の少なくとも一部から、撮影を行うときの撮像条件を決定するために用いられる第２の信号を出力する第２の出力手段と、
を備えることを特徴とする撮像装置。
【請求項２】
列方向及び行方向に配された複数の光電変換手段を含む画素配列と、
第１の駆動信号と、該第１の駆動信号よりも短い周期を有する第２の駆動信号とを生成する生成手段と、
前記第１の駆動信号により駆動され、前記画素配列の少なくとも一部から、画像表示用及び画像記録用の少なくとも一方のために用いられる第１の信号を出力する第１の出力手段と、
前記第２の駆動信号により駆動され、前記画素配列の少なくとも一部から、撮影を行うときの撮像条件を決定するために用いられる第２の信号を出力する第２の出力手段と、
を備え、
前記第１の駆動信号と前記第２の駆動信号とは、焦点調節動作、露出制御動作、及びＡＦ動作が行われない第１の撮影モードにおいて同期しており、焦点調節動作、露出制御動作、及びＡＦ動作の少なくともいずれかが行われる第２の撮影モードにおいて非同期である
ことを特徴とする撮像装置。
【請求項３】
請求項１または２に記載の撮像装置と、
前記撮像装置へ光を結像する光学系と、
を備えることを特徴とする撮像システム。
【請求項４】
前記光学系を駆動する光学駆動手段をさらに備え、
前記生成手段は、前記光学駆動手段を駆動するための光学駆動信号に同期するように、前記第２の駆動信号を生成する
ことを特徴とする請求項３に記載の撮像システム。
【請求項５】
前記第２の信号に基づいて、前記画素配列の目標露光量を演算する露光量演算手段をさらに備え、
前記生成手段は、前記露光量演算手段が演算した目標露光量に応じて、前記第２の信号を出力する前記光電変換手段の電荷蓄積期間を変えるように、前記第２の駆動信号を生成する
ことを特徴とする請求項３または４に記載の撮像システム。
【請求項６】
列方向及び行方向に配された複数の光電変換手段を含む画素配列を有する撮像装置の駆動方法であって、
生成手段が、第１の駆動信号と、該第１の駆動信号と非同期であって、且つ、該第１の駆動信号よりも短い周期を有する第２の駆動信号とを生成する生成工程と、
第１の出力手段が、前記第１の駆動信号に応じて、前記画素配列の少なくとも一部から、画像表示用及び画像記録用の少なくとも一方のために用いられる第１の信号を出力する第１の出力ステップと、
第２の出力手段が、前記第２の駆動信号に応じて、前記画素配列の少なくとも一部から、撮影を行うときの撮像条件を決定するために用いられる第２の信号を出力する第２の出力ステップと、
を備える
ことを特徴とする撮像装置の駆動方法。
【請求項７】
列方向及び行方向に配された複数の光電変換手段を含む画素配列を有する撮像装置の駆動方法であって、
生成手段が、第１の駆動信号と、該第１の駆動信号よりも短い周期を有する第２の駆動信号とを生成する生成工程と、
第１の出力手段が、前記第１の駆動信号に応じて、前記画素配列の少なくとも一部から、画像表示用及び画像記録用の少なくとも一方のために用いられる第１の信号を出力する第１の出力ステップと、
第２の出力手段が、前記第２の駆動信号に応じて、前記画素配列の少なくとも一部から、撮影を行うときの撮像条件を決定するために用いられる第２の信号を出力する第２の出力ステップと、
を備え、
前記第１の駆動信号と前記第２の駆動信号とは、焦点調節動作、露出制御動作、雄帯、ＡＦ動作が行われない第１の撮影モードにおいて同期しており、焦点調節動作、露出制御動作、及びＡＦ動作の少なくともいずれかが行われる第２の撮影モードにおいて非同期である
ことを特徴とする撮像装置の駆動方法。
【手続補正２】
【補正対象書類名】明細書
【補正対象項目名】０００８
【補正方法】変更
【補正の内容】
【０００８】
本発明の第１側面に係る撮像装置は、列方向及び行方向に配された複数の光電変換手段を含む画素配列と、第１の駆動信号と、該第１の駆動信号と非同期であって、且つ、該第１の駆動信号よりも短い周期を有する第２の駆動信号とを生成する生成手段と、前記第１の駆動信号により駆動され、前記画素配列の少なくとも一部から、画像表示用及び画像記録用の少なくとも一方のために用いられる第１の信号を出力する第１の出力手段と、前記第２の駆動信号により駆動され、前記画素配列の少なくとも一部から、撮影を行うときの撮像条件を決定するために用いられる第２の信号を出力する第２の出力手段と、を備えることを特徴とする。
【手続補正３】
【補正対象書類名】明細書
【補正対象項目名】０００９
【補正方法】変更
【補正の内容】
【０００９】
本発明の第２側面に係る撮像装置は、列方向及び行方向に配された複数の光電変換手段を含む画素配列と、第１の駆動信号と、該第１の駆動信号よりも短い周期を有する第２の駆動信号とを生成する生成手段と、前記第１の駆動信号により駆動され、前記画素配列の少なくとも一部から、画像表示用及び画像記録用の少なくとも一方のために用いられる第１の信号を出力する第１の出力手段と、前記第２の駆動信号により駆動され、前記画素配列の少なくとも一部から、撮影を行うときの撮像条件を決定するために用いられる第２の信号を出力する第２の出力手段と、を備え、前記第１の駆動信号と前記第２の駆動信号とは、焦点調節動作、露出制御動作、及びＡＦ動作が行われない第１の撮影モードにおいて同期しており、焦点調節動作、露出制御動作、及びＡＦ動作の少なくともいずれかが行われる第２の撮影モードにおいて非同期であることを特徴とする。
【手続補正４】
【補正対象書類名】明細書
【補正対象項目名】００１０
【補正方法】変更
【補正の内容】
【００１０】
本発明の第３側面に係る撮像システムは、本発明の第１側面又は第２側面に係る撮像装置と、前記撮像装置へ光を結像する光学系とを備えることを特徴とする。
【手続補正５】
【補正対象書類名】明細書
【補正対象項目名】００１１
【補正方法】変更
【補正の内容】
【００１１】
本発明の第４側面に係る撮像装置の駆動方法は、列方向及び行方向に配された複数の光電変換手段を含む画素配列を有する撮像装置の駆動方法であって、生成手段が、第１の駆動信号と、該第１の駆動信号と非同期であって、且つ、該第１の駆動信号よりも短い周期を有する第２の駆動信号とを生成する生成工程と、第１の出力手段が、前記第１の駆動信号に応じて、前記画素配列の少なくとも一部から、画像表示用及び画像記録用の少なくとも一方のために用いられる第１の信号を出力する第１の出力ステップと、第２の出力手段が、前記第２の駆動信号に応じて、前記画素配列の少なくとも一部から、撮影を行うときの撮像条件を決定するために用いられる第２の信号を出力する第２の出力ステップと、
を備えることを特徴とする。
本発明の第５側面に係る撮像装置の駆動方法は、列方向及び行方向に配された複数の光電変換手段を含む画素配列を有する撮像装置の駆動方法であって、生成手段が、第１の駆動信号と、該第１の駆動信号よりも短い周期を有する第２の駆動信号とを生成する生成工程と、第１の出力手段が、前記第１の駆動信号に応じて、前記画素配列の少なくとも一部から、画像表示用及び画像記録用の少なくとも一方のために用いられる第１の信号を出力する第１の出力ステップと、第２の出力手段が、前記第２の駆動信号に応じて、前記画素配列の少なくとも一部から、撮影を行うときの撮像条件を決定するために用いられる第２の信号を出力する第２の出力ステップと、を備え、前記第１の駆動信号と前記第２の駆動信号とは、焦点調節動作、露出制御動作、雄帯、ＡＦ動作が行われない第１の撮影モードにおいて同期しており、焦点調節動作、露出制御動作、及びＡＦ動作の少なくともいずれかが行われる第２の撮影モードにおいて非同期であることを特徴とする。